【手続補正書】
【提出日】平成16年8月31日(2004.8.31)
【手続補正１】
【補正対象書類名】明細書
【補正対象項目名】発明の名称
【補正方法】変更
【補正の内容】
【発明の名称】通信端末装置及び通信システム
【手続補正２】
【補正対象書類名】明細書
【補正対象項目名】特許請求の範囲
【補正方法】変更
【補正の内容】
【特許請求の範囲】
【請求項１】
複数の相手先電話番号を登録して記憶する番号登録テーブルと、
発呼側端末から電話番号情報が送られてきたかどうかを判定する情報判定手段と、
前記番号登録テーブルに空きがあるか否かを判定するテーブル検索手段と、
前記発呼側の電話番号を自動登録するか否かを判定する条件判定手段と、
前記番号登録テーブルに、前記電話番号情報に含まれる電話番号を登録するテーブル登録手段を設けたことを特徴とする通信端末装置。
【請求項２】
請求項１に記載の通信端末装置において、
名称情報を受信する名称受信手段を有し、
前記テーブル登録手段は、番号登録テーブルに、前記電話番号情報に含まれる電話番号と前記受信した名称情報とを登録することを特徴とする通信端末装置。
【請求項３】
発呼側端末から電話番号情報が送られてきたか否かを判定する情報判定手段と、
最新の受信に関する相手先の電話番号を記憶する最新受信相手先登録テーブルと、
受信した前記電話番号情報に含まれる電話番号で最新受信相手先登録テーブルを更新するテーブル更新手段とを設けたことを特徴とする通信端末装置。
【請求項４】
限定された通信相手方の電話番号を記憶しておく閉域通信相手先電話番号リストと、
電話番号を記憶するための番号登録テーブルと、
受信した電話番号情報に含まれる電話番号と、前記閉域通信相手先電話番号リストの各電話番号とを比較して、前記電話番号情報に含まれる電話番号が未登録であると、該電話番号を前記番号登録テーブルに記憶するテーブル登録手段とを備えたことを特徴とする通信端末装置。
【請求項５】
請求項４に記載の通信端末装置において、
前記テーブル登録手段は、
前記番号登録テーブルに記憶された電話番号を選択的に閉域通信相手先電話番号リストに登録することを特徴とする通信端末装置。
【請求項６】
請求項４に記載の通信端末装置において、
前記番号登録テーブルに登録された電話番号一覧を印刷する拒絶者番号出力手段を備えたことを特徴とする通信端末装置。
【請求項７】
請求項４に記載の通信端末装置において、
前記番号登録テーブルに登録された電話番号一覧を送信する拒絶者番号出力手段を備えたことを特徴とする通信端末装置。
【請求項８】
発呼側端末と通信可能な通信端末装置を備える通信システムにおいて、
前記通信端末装置は、
複数の相手先電話番号を登録して記憶する番号登録テーブルと、
発呼側端末から電話番号情報が送られてきたかどうかを判定する情報判定手段と、
前記番号登録テーブルに空きがあるか否かを判定するテーブル検索手段と、
前記発呼側の電話番号を自動登録するか否かを判定する条件判定手段と、
前記番号登録テーブルに、前記電話番号情報に含まれる電話番号を登録するテーブル登録手段とを含むことを特徴とする通信システム。
【請求項９】
請求項８に記載の通信システムにおいて、
前記通信端末装置は、更に名称情報を受信する名称受信手段を備え、
前記テーブル登録手段は、番号登録テーブルに、電話番号情報に含まれる電話番号と前記受信した名称情報とを登録することを特徴とする通信システム。
【請求項１０】
発呼側端末と通信可能な通信端末装置を備える通信システムにおいて、
前記通信端末装置は、
前記発呼側端末から電話番号情報が送られてきたか否かを判定する情報判定手段と、
最新の受信に関する前記発呼側の電話番号を記憶する最新受信相手先登録テーブルと、
受信した前記電話番号情報に含まれる電話番号で最新受信相手先登録テーブルを更新するテーブル更新手段とを含むことを特徴とする通信システム。
【請求項１１】
発呼側端末と通信可能な通信端末装置を備える通信システムにおいて、
前記通信端末装置は、
限定された通信相手方の電話番号を記憶しておく閉域通信相手先電話番号リストと、
電話番号を記憶するための番号登録テーブルと、
前記発呼側端末から受信した電話番号情報に含まれる電話番号と、前記閉域通信相手先電話番号リストの各電話番号とを比較して、前記電話番号情報の電話番号が未登録であると、該電話番号を前記番号登録テーブルに記憶するテーブル登録手段とを含むことを特徴とする通信システム。
【請求項１２】
請求項１１に記載の通信システムにおいて、
前記テーブル登録手段は、
前記番号登録テーブルに記憶された電話番号を選択的に閉域通信相手先電話番号リストに登録することを特徴とする通信システム。
【請求項１３】
請求項１１に記載の通信システムにおいて、
前記通信端末装置は、更に
前記番号登録テーブルに登録された電話番号一覧を印刷する拒絶者番号出力手段を備えたことを特徴とする通信システム。
【請求項１４】
請求項１１に記載の通信システムにおいて、
前記通信端末装置は、更に
前記番号登録テーブルに登録された電話番号一覧を送信する拒絶者番号出力手段を備えたことを特徴とする通信システム。
【手続補正３】
【補正対象書類名】明細書
【補正対象項目名】０００１
【補正方法】変更
【補正の内容】
【０００１】
【発明の属する技術分野】
本発明は、発信者の電話番号をメモリに登録して利用することが可能な通信端末装置及び通信システムに関する。
【手続補正４】
【補正対象書類名】明細書
【補正対象項目名】０００５
【補正方法】変更
【補正の内容】
【０００５】
【課題を解決するための手段】
本発明は以上の点を解決するため次の構成を採用する。
〈構成１〉
複数の相手先電話番号を登録して記憶する番号登録テーブルと、発呼側端末から電話番号情報が送られてきたかどうかを判定する情報判定手段と、前記番号登録テーブルに空きがあるか否かを判定するテーブル検索手段と、前記発呼側の電話番号を自動登録するか否かを判定する条件判定手段と、前記番号登録テーブルに、前記電話番号情報に含まれる電話番号を登録するテーブル登録手段を設けたことを特徴とする通信端末装置。
【手続補正５】
【補正対象書類名】明細書
【補正対象項目名】０００６
【補正方法】変更
【補正の内容】
【０００６】
〈構成２〉
構成１に記載の通信端末装置において、名称情報を受信する名称受信手段を有し、前記テーブル登録手段は、番号登録テーブルに、前記電話番号情報に含まれる電話番号と前記受信した名称情報とを登録することを特徴とする通信端末装置。
【手続補正６】
【補正対象書類名】明細書
【補正対象項目名】０００７
【補正方法】変更
【補正の内容】
【０００７】
〈構成３〉
発呼側端末から電話番号情報が送られてきたか否かを判定する情報判定手段と、最新の受信に関する相手先の電話番号を記憶する最新受信相手先登録テーブルと、受信した前記電話番号情報に含まれる電話番号で最新受信相手先登録テーブルを更新するテーブル更新手段とを設けたことを特徴とする通信端末装置。
【手続補正７】
【補正対象書類名】明細書
【補正対象項目名】０００８
【補正方法】変更
【補正の内容】
【０００８】
〈構成４〉
限定された通信相手方の電話番号を記憶しておく閉域通信相手先電話番号リストと、  電話番号を記憶するための番号登録テーブルと、受信した電話番号情報に含まれる電話番号と、前記閉域通信相手先電話番号リストの各電話番号とを比較して、前記電話番号情報に含まれる電話番号が未登録であると、該電話番号を前記番号登録テーブルに記憶するテーブル登録手段とを備えたことを特徴とする通信端末装置。
【手続補正８】
【補正対象書類名】明細書
【補正対象項目名】０００９
【補正方法】変更
【補正の内容】
【０００９】
〈構成５〉
構成４に記載の端末装置において、前記テーブル登録手段は、前記番号登録テーブルに記憶された電話番号を選択的に閉域通信相手先電話番号リストに登録することを特徴とする通信端末装置。
【手続補正９】
【補正対象書類名】明細書
【補正対象項目名】００１０
【補正方法】変更
【補正の内容】
【００１０】
〈構成６〉
構成４に記載の通信端末装置において、前記番号登録テーブルに登録された電話番号一覧を印刷する拒絶者番号出力手段を備えたことを特徴とする通信端末装置。
【手続補正１０】
【補正対象書類名】明細書
【補正対象項目名】００１１
【補正方法】変更
【補正の内容】
【００１１】
〈構成７〉
構成４に記載の通信端末装置において、前記番号登録テーブルに登録された電話番号一覧を送信する拒絶者番号出力手段を備えたことを特徴とする通信端末装置。
〈構成８〉
発呼側端末と通信可能な通信端末装置を備える通信システムにおいて、前記通信端末装置は、複数の相手先電話番号を登録して記憶する番号登録テーブルと、発呼側端末から電話番号情報が送られてきたかどうかを判定する情報判定手段と、前記番号登録テーブルに空きがあるか否かを判定するテーブル検索手段と、前記発呼側の電話番号を自動登録するか否かを判定する条件判定手段と、前記番号登録テーブルに、前記電話番号情報に含まれる電話番号を登録するテーブル登録手段とを含むことを特徴とする通信システム。
〈構成９〉
発呼側端末と通信可能な通信端末装置を備える通信システムにおいて、前記通信端末装置は、前記発呼側端末から電話番号情報が送られてきたか否かを判定する情報判定手段と、最新の受信に関する前記発呼側の電話番号を記憶する最新受信相手先登録テーブルと、受信した前記電話番号情報に含まれる電話番号で最新受信相手先登録テーブルを更新するテーブル更新手段とを含むことを特徴とする通信システム。
〈構成１０〉
発呼側端末と通信可能な通信端末装置を備える通信システムにおいて、前記通信端末装置は、限定された通信相手方の電話番号を記憶しておく閉域通信相手先電話番号リストと、電話番号を記憶するための番号登録テーブルと、前記発呼側端末から受信した電話番号情報に含まれる電話番号と、前記閉域通信相手先電話番号リストの各電話番号とを比較して、前記電話番号情報の電話番号が未登録であると、該電話番号を前記番号登録テーブルに記憶するテーブル登録手段とを含むことを特徴とする通信システム。